(57)【要約】      （修正有）【課題】データセンタ空調システムの消費電力を削減する空調システム、制御装置、および制御方法を提供する。【解決手段】外気の温度及び外気の湿度に基づいて、空調システム１０１を構成している間接気化冷却装置１０６を停止して間接気化冷却装置への外気の供給を遮断するとともに、間接気化冷却装置を通過せずにデータセンタ内部に外気を供給する経路を用いてデータセンタ内部に外気を直接供給する。【選択図】図１
2017083988.tif 000002
【特許請求の範囲】
【請求項１】
部屋の温度および湿度を調整する空調システムであって、
入力された冷却対象空気を冷却し、冷却された前記冷却対象空気を出力する間接気化冷却装置と、
前記間接気化冷却装置に外気を供給する第１の空気経路と、
前記間接気化冷却装置を通過せずに前記部屋に前記外気を供給する第２の空気経路と、
前記外気の温度及び前記外気の湿度に基づいて、前記間接気化冷却装置を停止して前記第１の空気経路から前記間接気化冷却装置への前記外気の供給を遮断するとともに、前記第２の空気経路を用いて前記部屋に前記外気を供給する制御装置と、
を備える空調システム。
【請求項２】
前記制御装置は、前記外気の温度が第１の範囲内且つ前記外気の湿度が第２の範囲内である場合に、前記第２の空気経路を用いて、前記外気を前記部屋に供給することを特徴とする請求項１記載の空調システム。
【請求項３】
前記制御装置は、前記外気の温度が前記第１の範囲の下限値より低いまたは前記外気の湿度が前記第２の範囲の上限値より高い（場合、前記部屋の排気を前記部屋に供給することを特徴とする請求項１または２記載の空調システム。
【請求項４】
前記間接気化冷却装置は、加湿対象空気が入力されるウエットチャネルと前記冷却対象空気が入力されるドライチャネルを有し、前記ウエットチャネル内の液体の気化現象により前記ドライチャネル内の前記冷却対象空気を冷却し、前記ドライチャネルの排気口から前記ドライチャネルを通過して冷却された前記冷却対象空気を出力し、前記ウエットチャネルの排気口から前記ウエットチャネルを通過して加湿された前記加湿対象空気を出力し、
前記制御装置は、前記外気の湿度が前記第２の範囲の下限値より低い場合、前記外気を前記加湿対象空気として前記ウエットチャネルに入力し、前記ウエットチャネルを通過して加湿された前記加湿対象空気を前記部屋に供給することを特徴とする請求項１乃至３のいずれか１項に記載の空調システム。
【請求項５】
前記制御装置は、前記外気の温度が前記第１の範囲の上限値より高く且つ前記外気の温度が前記部屋の排気の温度より高い場合、前記部屋の排気を前記冷却対象空気として前記ドライチャネルに入力し、前記ドライチャネルを通過して冷却された前記冷却対象空気を前記部屋に供給することを特徴とする請求項４記載の空調システム。
【請求項６】
入力された冷却対象空気を冷却し、冷却された前記冷却対象空気を出力する間接気化冷却装置を有し、部屋の温度および湿度を調整する空調システムの制御装置であって、
前記空調システムは、
前記間接気化冷却装置に外気を供給する第１の空気経路と、
前記間接気化冷却装置を通過せずに前記部屋に前記外気を供給する第２の空気経路と、
を有し、
前記制御装置は、
前記外気の温度および前記外気の湿度を取得する取得部と、
前記外気の温度および前記外気の湿度に基づいて、前記間接気化冷却装置を停止して前記第１の空気経路から前記間接気化冷却装置への前記外気の供給を遮断するとともに、前記第２の空気経路を用いて、前記部屋に前記外気を供給する制御部と、
を備えることを特徴とする制御装置。
【請求項７】
入力された冷却対象空気を冷却し、冷却された前記冷却対象空気を出力する間接気化冷却装置と、制御装置と、を含み、部屋の温度および湿度を調整する空調システムの制御方法であって、
前記空調システムは、
前記間接気化冷却装置に外気を供給する第１の空気経路と、
前記間接気化冷却装置を通過せずに前記部屋に前記外気を供給する第２の空気経路と、
を有し、
前記制御装置は、
前記外気の温度および前記外気の湿度に基づいて、前記間接気化冷却装置を停止して前記第１の空気経路から前記間接気化冷却装置への前記外気の供給を遮断するとともに、前記第２の空気経路を用いて、前記部屋に前記外気を供給する
ことを特徴とする制御方法。
【発明の詳細な説明】
【技術分野】
【０００１】
本発明は、空調システム、制御装置、および制御方法に関する。
【背景技術】
【０００２】
データセンタの消費電力を抑え、電気料金を低減させるために、エアコンを使わない外気冷却方式が注目されている。外気冷却方式は、コンプレッサの動力を要さないことから、データセンタの省エネ運用が可能となる空調方式である。外気冷却方式の中でも外気の冷気を直接データセンタ内部に取入れる直接外気冷却方式は、外気の冷気を直接利用できることから高い省エネ効果を得ることが期待されている。
【０００３】
直接外気冷却方式のデータセンタは通常、外気をそのままInformation Technology（ＩＴ）機器の冷却に使用できない場合もあることから、多くの場合、空調機ユニットはＩＴ機器が設置されたサーバルームの前室に当たる空調機室に置かれる。
【０００４】
発熱体収納室内に外気を導入せず、この発熱体収納室の空気を間接式気化式冷却装置に供給して冷却し、冷却された空気を発熱体収納室内に供給する冷却システムが知られている（例えば、特許文献１参照）。また、間接気化冷却手段を用いた冷房システムが知られている（例えば、特許文献２参照）。
【先行技術文献】
【特許文献】
【０００５】
【特許文献１】特開２０１２−１１３６８２号公報
【特許文献２】特開２０１３−１５５９３１号公報
【発明の概要】
【発明が解決しようとする課題】
【０００６】
従来の空調システムは、調温調湿の為の空調機を複数種類備えており、外気の温湿度情報を基にこれら複数の空調機を制御している。しかし従来の空調システムでは、空調機の一部、もしくはその全てを利用しない場合でも、停止した空調機にも外気を通過させており、空調機による空気抵抗により送風ファンの消費電力が増大するという問題がある。
【０００７】
本発明は、空調システムの消費電力の削減を目的とする。
【課題を解決するための手段】
【０００８】
実施の形態に係る空調システムは、部屋の温度および湿度を調整する空調システムであって、間接気化冷却装置、第１の空気経路、第２の空気経路、および制御装置を備える。
【０００９】
前記間接気化冷却装置は、入力された冷却対象空気を冷却し、冷却された前記冷却対象空気を出力する。
【００１０】
前記第１の空気経路は、前記間接気化冷却装置に外気を供給する。
前記第２の空気経路は、前記間接気化冷却装置を通過せずに前記部屋に前記外気を供給する。
【００１１】
前記制御装置は、前記外気の温度及び前記外気の湿度に基づいて、前記間接気化冷却装置を停止して前記第１の空気経路から前記間接気化冷却装置への前記外気の供給を遮断するとともに、前記第２の空気経路を用いて、前記部屋に前記外気を供給する。
【発明の効果】
【００１２】
実施の形態の空調システムによれば、消費電力を削減することができる。
【図面の簡単な説明】
【００１３】
【図１】実施の形態に係る空調システムの構成図である。
【図２】実施の形態に係る制御装置の構成図である。
【図３】外気の温度と湿度に対応する空調システムの運転モードを示す図である。
【図４】実施の形態に係る空調システムの制御処理のフローチャートである。
【図５】設定処理の詳細なフローチャートである。
【図６】外気モード時の空気の流れを示す図である。
【図７】循環モード時の空気の流れを示す図である。
【図８】加湿モード時の空気の流れを示す図である。
【図９】外気冷却モード時の空気の流れを示す図である。
【図１０】循環冷却モード時の空気の流れを示す図である。
【図１１】情報処理装置（コンピュータ）の構成図である。
【発明を実施するための形態】
【００１４】
以下、図面を参照しながら実施の形態を説明する。
図１は、実施の形態に係る空調システムの構成図である。
【００１５】
空調システム１０１は、サーバルーム１０２の温度および湿度を調節する。サーバルーム１０２には、サーバ等の発熱するＩＴ機器を搭載したサーバラック１０３が設置されている。図１において、サーバルーム１０２内の空気の流れを矢印で示している。
【００１６】
空調システム１０１は、外気吸気口１０４、排気口１０５、間接気化冷却装置１０６、ファン１１１〜１１６、弁（ダンパ）１１７−ｉ（ｉ＝１〜３）、三方弁１１８−ｉ、制御装置１１９、温度センサ１２０−ｉ、湿度センサ１２１−ｊ（ｊ＝１，２）、連結部１２２−ｉ、およびダクト１２３−ｋ（ｋ＝１〜１１）を備える。
【００１７】
外気吸気口１０４は、屋外と隣接し、外気（Ｏｕｔｓｉｄｅ Ａｉｒ：ＯＡ）を取り込む。
【００１８】
排気口１０５は、空気を屋外に排出する。排出される空気は、排気（Ｅｘｈａｕｓｔ Ａｉｒ：ＥＡ）と呼ぶ。
【００１９】
間接気化冷却装置１０６は、一種の気−気熱交換器の構成をとっており、隔壁で仕切られたウエットチャネルとドライチャネルが多数積層されている。
【００２０】
ウエットチャネルの壁面には湿潤処理が施されており、ここに液体（例えば、水）が滴下されると内部で湿潤する。ウエットチャネルを通過する空気とドライチャネルからの伝熱により液体は気化し、ウエットチャネルの壁面は気化現象により冷却される。ウエットチャネルの排気口からは加湿および冷却された空気が排出される。
【００２１】
ウエットチャネルの冷却により、ドライチャネルとウエットチャネル間に温度差が生じ、ドライチャネルの顕熱が隔壁を通してウエットチャネルへ移動する為、ドライチャネルを通過する空気も冷却される。これにより、ドライチャネルの排気口からは冷却された空気が排出される。
【００２２】
ドライチャネルの吸気口にはファン１１１、ウエットチャネルの吸気口にはファン１１２が取り付けられており、それぞれドライチャネルおよびウエットチャネルに空気を送出する。
【００２３】
間接気化冷却装置１０６には、ウエットチャネルとドライチャネルの隔壁の形状や間接気化冷却装置１０６に搭載されたフィルタ等により、空気を通過させる場合に大きな空気抵抗が存在する。
【００２４】
ファン１１１〜１１６は、空気を送出する。
弁１１７−ｉは、開閉により、空気を通過または遮断する。
【００２５】
三方弁１１８−ｉ、弁の開閉により、特定の方向に空気を通過させる。
制御装置１１９は、測定した温度および湿度に基づいて、間接気化冷却装置１０６、弁ファン１１１〜１１６、１１７−ｉ、および三方弁１１８−ｉの制御を行う。ファン１１１〜１１６、弁１１７−ｉ、および三方弁１１８−ｉは、制御装置１１９から受信した制御信号に従って動作する。
【００２６】
温度センサ１２０−ｉは、温度を測定し、測定した温度を制御装置１１９に通知する。
湿度センサ１２１−ｊは、湿度を測定し、測定した湿度を制御装置１１９に通知する。
【００２７】
連結部１２２−ｉは、複数のダクト１２３−ｋを接続する。接続されたダクト１２３−ｋ間は、空気が通過できる。連結部１２２−ｉは、例えば、管継手である。
【００２８】
ダクト１２３−ｋは、内部を空気が通り、空気の流れを形成する。ダクト１２３−ｋは空気経路の一例である。
【００２９】
外気吸気口１０４には、ダクト１２３−１が接続され、ダクト１２３−１には、温度センサ１２０−１、湿度センサ１２１−１、ファン１１５が取付けられている。ダクト１２３−１は、３方向に分岐し、分岐したダクト１２３−１のそれぞれは、連結部１２２−２、間接気化冷却装置１０６のウエットチャネルの吸気口、および連結部１２２−１と接続する。ファン１１５は、外気を吸気するように取り付けられ、吸気された外気は、連結部１２２−２、間接気化冷却装置１０６のウエットチャネルの吸気口、および連結部１２２−１に送出される。温度センサ１２０−１は外気の温度、湿度センサ１２１−１は外気の湿度を測定し、制御装置１１９に通知する。ここで、外気の温度をＯＡ温度、外気の湿度をＯＡ湿度とする。３つに分岐したダクト１２３−１のそれぞれには、弁１１７−ｉが設置されており、開閉により、外気を通過または遮断する。
【００３０】
連結部１２２−１は、間接気化冷却装置１０６のドライチャネルの吸気口と接続している。また、連結部１２２−１は、ダクト１２３−８を介して三方弁１１８−３と接続している。また、連結部１２２−１は、３つに分岐したダクト１２３−１のうちの弁１１７−３が設置されたダクト１２３−１と接続している。
【００３１】
間接気化冷却装置１０６のドライチャネルの排気口は、ダクト１２３−２を介して連結部１２２−２と接続している。間接気化冷却装置１０６のウエットチャネルの排気口は、ダクト１２３−３を介して三方弁１１８−１と接続している。
【００３２】
連結部１２２−２は、ダクト１２３−２を介して間接気化冷却装置１０６のドライチャネルの排気口、ダクト１２３−４を介して三方弁１１８−１、ダクト１２３−５を介してサーバルーム１０２の吸気口、ダクト１２３−６を介して三方弁１１８−３とそれぞれ接続している。
【００３３】
三方弁１１８−１は、ダクト１２３−３を介して間接気化冷却装置１０６のウエットチャネルの排気口、ダクト１２３−４を介して連結部１２２−２、ダクト１２−７を介して連結部１２２−３とそれぞれ接続している。
【００３４】
サーバルーム１０２の吸気口にはファン１１３が設置され、ファン１１３はサーバルーム１０２内に空気を給気する。サーバルーム１０２内に給気された空気は、サーバラック１０３の吸気側からサーバラック１０３内に吸気され、内部のＩＴ機器を冷却し、サーバラック１０３の排気側から排気される。サーバルーム１０２に給気された空気をＳｕｐｐｌｙ  Ａｉｒ（ＳＡ）とする。サーバラック１０３の吸気側には、温度センサ１２０−２と湿度センサ１２１−２が設置されている。温度センサ１２１−２および湿度センサ１２１−２は、サーバルーム１０２に給気された空気の温度および湿度をそれぞれ測定する。ここで、サーバルーム１０２に給気された空気の温度をＳＡ温度、サーバルーム１０２に給気された空気の湿度をＳＡ湿度とする。温度センサ１２１−２および湿度センサ１２１−２はそれぞれ測定した温度および湿度を制御装置１１９に通知する。
【００３５】
サーバルーム１０２の排気口にはファン１１４が設置され、ファン１１４はサーバルーム１０２内の空気を排出する。サーバルーム１０２の排気口は、三方弁１１８−２と接続している。サーバラック１０３の排気側、例えば、サーバルーム１０２内且つサーバルーム１０２の排気口の近くには、温度センサ１２０−３が設置されている。温度センサ１２１−２はサーバルーム１０２から排気される空気の温度を測定し、制御装置１１９に通知する。サーバルーム１０２から排気される空気の温度をＲｅｔｕｒｎ  Ａｉｒ（ＲＡ）温度とする。
【００３６】
三方弁１１８−２は、サーバルーム１０２の排気口、ダクト１２３−９を介して三方弁１１８−３、ダクト１２３−１０を介して連結部１２２−３と接続する。
【００３７】
三方弁１１８−３は、ダクト１２３−９を介して三方弁１１８−２、ダクト１２３−６を介して連結部１２２−２、ダクト１２３−８を介して連結部１２２−１と接続する。
【００３８】
連結部１２２−３は、ダクト１２３−１１を介して排気口１０５、ダクト１２３−７を介して三方弁１１８−１、ダクト１２３−１０を介して三方弁１１８−２と接続する。
【００３９】
排気口１０５には、ダクト１２３−１１が接続され、ダクト１２３−１１には、ファン１１６が取付けられている。ファン１１６が連結部１２２−３からの空気を排気口１０５から排出するように取り付けられている。
【００４０】
図２は、実施の形態に係る制御装置の構成図である。
制御装置１１９は、処理部１５１および記憶部１６１を備える。
【００４１】
処理部１５１は、閾値取得部１５２、演算部１５３、比較部１５４、設定部１５５、および出力部１５６を備える。
【００４２】
閾値取得部１５２は、記憶部１６１から閾値情報１６２を読み出し、取得する。
演算部１５３は、温度センサ１２０−ｉと湿度センサ１２１−ｊからそれぞれ温度と湿度を取得する。演算部１５３は、外気とサーバルーム１０２に給気された空気（ＳＡ）の露点を算出する。
【００４３】
比較部１５４は、閾値情報１６２に含まれる温度と湿度のそれぞれの上限値および下限値とサーバルーム１０２に給気された空気の温度および湿度とを比較する。
【００４４】
設定部１５５は、外気の温度および湿度と、閾値情報１６２と、算出した露点と、サーバルーム１０２から排気された空気の温度とに基づいて、どの運転モードで動作するか決定する。設定部１５５は、決定した運転モードに応じて、間接気化冷却装置１０６、ファン１１１〜１１６、弁１１７−ｉ、三方弁１１８−ｉの動作の設定を行う。
【００４５】
出力部１５６は、設定部１５５により設定された状態となるように、間接気化冷却装置１０６、ファン１１１〜１１６、弁１１７−ｉ、三方弁１１８−ｉに制御信号を出力する。設定部１５５および出力部１５６は、制御部の一例である。
【００４６】
記憶部１６１は、処理部１５１で使用されるデータやプログラム等を格納する記憶装置である。記憶部１６１は、閾値情報１６２を格納する。閾値情報１６２は、サーバルーム１０２に給気された空気の温度（ＳＡ温度）の上限値（上限閾値）と下限値（下限閾値）、およびサーバルーム１０２に給気された空気の湿度（ＳＡ湿度）の上限値（上限閾値）と下限値（下限閾値）を含む。
【００４７】
図３は、外気の温度と湿度に対応する空調システムの運転モードを示す図である。
図３のグラフの横軸は外気の温度（乾球温度）、縦軸は外気の湿度（絶対湿度）である。
【００４８】
空調システム１０１は、５つの運転モード（モード（１）〜モード（５））を有し、設定部１５５は、外気の温度および湿度と、閾値情報１６２と、算出した露点温度と、サーバルーム１０２から排気された空気の温度とに基づいて、どの運転モードで動作するか決定する。
【００４９】
実施の形態において、モード（１）〜モード（５）は、それぞれ、外気モード、循環モード、加湿モード、外気冷却モード、および循環冷却モードと呼ぶ。
【００５０】
例えば、外気の温度と湿度がグラフの領域Ａに該当する場合、空調システム１０１は、外気モードで動作する。外気の温度と湿度がグラフの領域Ｂ、Ｅに該当する場合、空調システム１０１は、循環モードで動作する。外気の温度と湿度がグラフの領域Ｃ，Ｄに該当する場合、空調システム１０１は、加湿モードで動作する。外気の温度と湿度がグラフの領域Ｆ，Ｇ，Ｈに該当する場合、空調システム１０１は、外気冷却モードで動作する。外気の温度と湿度がグラフの領域Ｊ，Ｉに該当する場合、空調システム１０１は、循環冷却モードで動作する。
【００５１】
外気モード、循環モード、加湿モード、外気冷却モード、および循環冷却モードの詳細については後述する。
【００５２】
図４は、実施の形態に係る空調システムの制御処理のフローチャートである。
ステップＳ５０１において、演算部１５３は、温度センサ１２０−ｉおよび湿度センサ１２１−ｊから測定された温度および湿度を取得する。上述のように、温度センサ１２０−１〜１２０−３で測定された温度をそれぞれＯＡ温度、ＳＡ温度、ＲＡ温度とする。また、湿度センサ１２１−１、１２１−２で測定された湿度をそれぞれＯＡ湿度、ＳＡ湿度とする。
【００５３】
ステップＳ５０２において、閾値取得部１５２は、記憶部１６１から閾値情報１６２を取得する。
【００５４】
ステップＳ５０３において、演算部１５３は、外気（ＯＡ）とサーバルーム１０２に供給された空気（ＳＡ）の露点を算出する。以下、算出された外気の露点をＯＡ露点、サーバルーム１０２に供給された空気の露点をＳＡ露点とする。
【００５５】
ステップＳ５０４において、比較部１５４は、ＳＡ温度と閾値情報１６２に含まれるＳＡ温度の上限値および下限値とを比較する。さらに、比較部１５４は、ＳＡ湿度と閾値情報１６２に含まれるＳＡ湿度の上限値および下限値とを比較する。
【００５６】
ステップＳ５０５において、ＳＡ温度が閾値情報１６２に含まれるＳＡ温度の下限値以上且つ上限値以下、且つＳＡ湿度が閾値情報１６２に含まれるＳＡ湿度の下限値以上且つ上限値以下の場合、制御はステップＳ５０６に進む。すなわち、取得したＳＡ温度が、閾値情報１６２に含まれるＳＡ温度の下限値と上限値の範囲に含まれ、且つ取得したＳＡ湿度が、閾値情報１６２に含まれるＳＡ湿度の下限値と上限値の範囲に含まれている場合、制御はステップＳ５０６に進む。ＳＡ温度が閾値情報１６２に含まれるＳＡ温度の下限値以上且つ上限値以下でない、若しくはＳＡ湿度が閾値情報１６２に含まれるＳＡ湿度の下限値以上且つ上限値以下でない場合、制御はステップＳ５０７に進む。すなわち、取得したＳＡ温度が、閾値情報１６２に含まれるＳＡ温度の下限値と上限値の範囲に含まれない、若しくは取得したＳＡ湿度が、閾値情報１６２に含まれるＳＡ湿度の下限値と上限値の範囲に含まれない場合、制御はステップＳ５０７に進む。
【００５７】
ステップＳ５０６において、設定部１５５および出力部１５６は、現在の運転モードを維持し、処理は終了する。実施の形態に係る制御処理は、例えば、定期的に実行される。
【００５８】
ステップＳ５０７において、設定部１５５および出力部１５６は、設定処理を行う。尚、設定処理の詳細は後述する。
【００５９】
図５は、設定処理の詳細なフローチャートである。
図５は、図４のステップＳ５０７に対応する。
【００６０】
ステップＳ５１１において、設定部１５５は、ファン１１３，１１４を稼動に設定し、出力部１５６は、ファン１１３，１１４を稼動させる制御信号をファン１１３，１１４に出力する。制御信号を受信したファン１１３，１１４は稼動し、サーバルーム１０２への空気の供給およびサーバルーム１０２からの排気を行う。
【００６１】
ステップＳ５１２において、設定部１５５は、ＯＡ露点と閾値情報１６２に含まれるＳＡ温度の上限値とを比較する。ＯＡ露点がＳＡ温度の上限値より大きい場合、制御はステップＳ５２２に進み、ＯＡ露点がＳＡ温度の上限値以下の場合、制御はステップＳ５１３に進む。
【００６２】
ステップＳ５１３において、設定部１５５は、ＯＡ温度と閾値情報１６２に含まれるＳＡ温度の上限値とを比較する。ＯＡ温度がＳＡ温度の上限値より大きい場合、制御はステップＳ５２０に進み、ＯＡ温度がＳＡ温度の上限値以下の場合、制御はステップＳ５１４に進む。
【００６３】
ステップＳ５１４において、設定部１５５は、ＯＡ湿度と閾値情報１６２に含まれるＳＡ湿度の下限値とを比較する。ＯＡ湿度がＳＡ湿度の下限値未満の場合、制御はステップＳ５１９に進み、ＯＡ湿度がＳＡ湿度の下限値以上の場合、制御はステップＳ５１５に進む。
【００６４】
ステップＳ５１５において、設定部１５５は、ＯＡ湿度と閾値情報１６２に含まれるＳＡ湿度の上限値とを比較する。ＯＡ湿度がＳＡ湿度の上限値より大きい場合、制御はステップＳ５１８に進み、ＯＡ湿度がＳＡ湿度の上限値以下の場合、制御はステップＳ５１６に進む。
【００６５】
ステップＳ５１６において、設定部１５５は、ＯＡ温度と閾値情報１６２に含まれるＳＡ温度の下限値とを比較する。ＯＡ温度がＳＡ温度の下限値未満場合、制御はステップＳ５１８に進み、ＯＡ温度がＳＡ温度の下限値以上の場合、制御はステップＳ５１７に進む。
【００６６】
ステップＳ５１７において、設定部１５５は、空調システム１０１を外気モードに設定する。詳細には、設定部１５５は、間接気化冷却装置１０６、ファン１１１，１１２、１１５、１１６、弁１１７−ｉ、および三方弁１１８−ｉを下記の様に設定する。
・間接気化冷却装置１０６：停止
・ファン１１１，１１２：停止
・ファン１１５，１１６：稼働
・弁１１７−１：開方向に稼働
・弁１１７−２，１１７−３：閉方向に稼働
・三方弁１１８−２：排気側へ稼働（すなわち、サーバルーム１０２の排気が連結部１２２−３へ流れるように弁を切替える）
【００６７】
出力部１５６は、間接気化冷却装置１０６、ファン１１１，１１２、１１５、１１６、弁１１７−ｉ、および三方弁１１８−ｉを上記の設定のように動作させる制御信号を間接気化冷却装置１０６、ファン１１１，１１２、１１５、１１６、弁１１７−ｉ、および三方弁１１８−ｉに出力する。
【００６８】
図６は、外気モード時の空気の流れを示す図である。
外気モード時には、間接気化冷却装置１０６およびファン１１１，１１２は停止している。また、弁１１７−１が開いており、弁１１７−２，１１７−３は閉じているため、外気は３つに分岐したダクト１２３−１のうちの弁１１７−１が設置された経路を通過して、サーバルーム１０２に供給される。すなわち、外気は間接気化冷却装置１０６を通らない経路を通って、サーバルーム１０２に給気される。また、弁１１７−２，１１７−３が閉じているため、間接気化冷却装置１０６への外気は遮断されている。これにより、間接気化冷却装置１０６およびファン１１１，１１２の消費電力を削減でき、間接気化冷却装置１０６による空気抵抗が無くなるため、ファン１１３，１１５の消費電力を抑えることが出来る。
【００６９】
図５に戻り説明を続ける。
ステップＳ５１８において、空調システム１０１を循環モードに設定する。詳細には、設定部１５５は、間接気化冷却装置１０６、ファン１１１，１１２、１１５、１１６、弁１１７−ｉ、および三方弁１１８−ｉを下記の様に設定する。
・間接気化冷却装置１０６：停止
・ファン１１１，１１２、１１５，１１６：停止
・弁１１７−１、１１７−２，１１７−３：閉方向に稼働
・三方弁１１８−２：給気側へ稼働（すなわち、サーバルーム１０２の排気が三方弁１１８−３へ流れるように弁を切替える）
・三方弁１１８−３：間接気化装置１０６後段へ稼働（すなわち、三方弁１１８−２からの空気が連結部１２２−２へ流れるように弁を切替える）
【００７０】
出力部１５６は、間接気化冷却装置１０６、ファン１１１，１１２、１１５、１１６、弁１１７−ｉ、および三方弁１１８−ｉを上記の設定のように動作させる制御信号を間接気化冷却装置１０６、ファン１１１，１１２、１１５、１１６、弁１１７−ｉ、および三方弁１１８−ｉに出力する。
【００７１】
図７は、循環モード時の空気の流れを示す図である。
循環モード時には、サーバルーム１０２の排気を循環させて、サーバルーム１０２に給気している。これにより、サーバルーム１０２の温度を上昇させ、湿度を低下させることが出来る。
【００７２】
図５に戻り説明を続ける。
ステップＳ５１９において、空調システム１０１を加湿モードに設定する。詳細には、設定部１５５は、間接気化冷却装置１０６、ファン１１１，１１２、１１５、１１６、弁１１７−ｉ、および三方弁１１８−ｉを下記の様に設定する。
・間接気化冷却装置１０６：稼動
・ファン１１１：停止
・ファン１１２，１１５，１１６：稼動
・弁１１７−１，１１７−２：開方向に稼働
・弁１１７−３：閉方向に稼働
・三方弁１１８−１：給気側へ稼働（すなわち、間接気化冷却装置１０６のウエットチャネルの排気が連結部１２２−２へ流れるように弁を切替える）
・三方弁１１８−２：排気側へ稼働（すなわち、サーバルーム１０２の排気が連結部１２２−３へ流れるように弁を切替える）
【００７３】
出力部１５６は、間接気化冷却装置１０６、ファン１１１，１１２、１１５、１１６、弁１１７−ｉ、および三方弁１１８−ｉを上記の設定のように動作させる制御信号を間接気化冷却装置１０６、ファン１１１，１１２、１１５、１１６、弁１１７−ｉ、および三方弁１１８−ｉに出力する。
【００７４】
図８は、加湿モード時の空気の流れを示す図である。
加湿モード時には、間接気化冷却装置１０６のウエットチャネルの排気をサーバルーム１０２に給気している。これにより、サーバルーム１０２の湿度を上昇させることが出来る。
【００７５】
図５に戻り説明を続ける。
ステップＳ５２０において、設定部１５５は、ＯＡ温度とＲＡ温度とを比較する。ＯＡ温度がＲＡ温度より大きい場合、制御はステップＳ５２２に進み、ＯＡ温度がＲＡ温度以下の場合、制御はステップＳ５２１に進む。
【００７６】
ステップＳ５２１において、空調システム１０１を外気冷却モードに設定する。詳細には、設定部１５５は、間接気化冷却装置１０６、ファン１１１，１１２、１１５、１１６、弁１１７−ｉ、および三方弁１１８−ｉを下記の様に設定する。
・間接気化冷却装置１０６：稼動
・ファン１１１，１１２，１１５，１１６：稼動
・弁１１７−２，１１７−３：開方向に稼働
・弁１１７−１：閉方向に稼働
・三方弁１１８−１：排気側へ稼働（すなわち、間接気化冷却装置１０６のウエットチャネルの排気が連結部１２２−３へ流れるように弁を切替える）
・三方弁１１８−２：排気側へ稼働（すなわち、サーバルーム１０２の排気が連結部１２２−３へ流れるように弁を切替える）
【００７７】
出力部１５６は、間接気化冷却装置１０６、ファン１１１，１１２、１１５、１１６、弁１１７−ｉ、および三方弁１１８−ｉを上記の設定のように動作させる制御信号を間接気化冷却装置１０６、ファン１１１，１１２、１１５、１１６、弁１１７−ｉ、および三方弁１１８−ｉに出力する。
【００７８】
図９は、外気冷却モード時の空気の流れを示す図である。
外気冷却モード時には、外気の温度はサーバルーム１０２の排気の温度よりも低いので、外気を間接気化冷却装置１０６で冷却して、サーバルーム１０２に給気している。
【００７９】
ステップＳ５２２において、空調システム１０１を循環冷却モードに設定する。詳細には、設定部１５５は、間接気化冷却装置１０６、ファン１１１，１１２、１１５、１１６、弁１１７−ｉ、および三方弁１１８−ｉを下記の様に設定する。
・間接気化冷却装置１０６：稼動
・ファン１１１，１１２，１１５，１１６：稼動
・弁１１７−２：開方向に稼働
・弁１１７−１，１１７−３：閉方向に稼働
・三方弁１１８−１：排気側へ稼働（すなわち、間接気化冷却装置１０６のウエットチャネルの排気が連結部１２２−３へ流れるように弁を切替える）
・三方弁１１８−２：排気側へ稼働（すなわち、サーバルーム１０２の排気が三方弁１１８−３へ流れるように弁を切替える）
・三方弁１１８−３：間接気化装置１０６前段へ稼働（すなわち、三方弁１１８−２からの空気が連結部１２２−１へ流れるように弁を切替える）
【００８０】
出力部１５６は、間接気化冷却装置１０６、ファン１１１，１１２、１１５、１１６、弁１１７−ｉ、および三方弁１１８−ｉを上記の設定のように動作させる制御信号を間接気化冷却装置１０６、ファン１１１，１１２、１１５、１１６、弁１１７−ｉ、および三方弁１１８−ｉに出力する。
【００８１】
図１０は、循環冷却モード時の空気の流れを示す図である。
循環冷却モード時には、外気の温度はサーバルーム１０２の排気の温度よりも高いので、サーバルーム１０２の排気を間接気化冷却装置１０６で冷却して、サーバルーム１０２に給気している。
【００８２】
実施の形態に係る空調システムによれば、間接気化冷却装置１０６を使用しない場合に、間接気化冷却装置１０６を通らない経路を使って、サーバルーム１０２に給気を行うため、間接気化冷却装置１０６の空気抵抗が無くなり、ファン１１３，１１５の電力を削減することが出来る。
【００８３】
実施の形態に係る空調システムによれば、ヒーターを使わずに、サーバルーム１０２の排気をサーバルーム１０２の給気に用いることで、サーバルーム１０２の温度を上げることが出来る。よって、実施の形態に係る空調システムは、間接気化冷却装置１０６による冷却と加湿だけでなく、還気によるサーバルーム１０２の温度の上昇も出来るので、ヒーターを設けなくても、すべてのシーズンに対応できる。
【００８４】
図１１は、情報処理装置（コンピュータ）の構成図である。
実施の形態の制御装置１１９は、例えば、図１１に示すような情報処理装置１によって実現可能である。
【００８５】
情報処理装置１は、ＣＰＵ２、メモリ３、入力部４、出力部５、記憶部６、記録媒体駆動部７、及びネットワーク接続部８を備え、それらはバス９により互いに接続されている。
【００８６】
ＣＰＵ２は、情報処理装置１全体を制御する中央処理装置である。ＣＰＵ２は、処理部１５１に対応する。
【００８７】
メモリ３は、プログラム実行の際に、記憶部６（あるいは可搬記録媒体１０）に記憶されているプログラムあるいはデータを一時的に格納するRead Only Memory(ROM)やRandom Access Memory(ＲＡＭ)等のメモリである。ＣＰＵ２は、メモリ３を利用してプログラムを実行することにより、上述した各種処理を実行する。
【００８８】
この場合、可搬記録媒体１０等から読み出されたプログラムコード自体が実施の形態の機能を実現する。
【００８９】
入力部４は、例えば、キーボード、マウス、タッチパネル、カメラ、またはセンサ等であり、ユーザ又はオペレータからの指示や情報の入力、情報処理装置１で用いられるデータの取得等に用いられる。
【００９０】
出力部５は、例えば、ディスプレイ、またはプリンタ等である。出力部５は、ユーザ又はオペレータへの問い合わせや処理結果を出力したり、ＣＰＵ２による制御により動作する装置である。
【００９１】
記憶部６は、例えば、磁気ディスク装置、光ディスク装置、テープ装置等である。情報処理装置１は、記憶部６に、上述のプログラムとデータを保存しておき、必要に応じて、それらをメモリ３に読み出して使用する。メモリ３および記憶部６は、記憶部１６１に対応する。
【００９２】
記録媒体駆動部７は、可搬記録媒体１０を駆動し、その記録内容にアクセスする。可搬記録媒体としては、メモリカード、フレキシブルディスク、Compact Disk Read Only Memory(ＣＤ−ＲＯＭ)、光ディスク、光磁気ディスク等、任意のコンピュータ読み取り可能な記録媒体が用いられる。ユーザは、この可搬記録媒体１０に上述のプログラムとデータを格納しておき、必要に応じて、それらをメモリ３に読み出して使用する。
【００９３】
ネットワーク接続部８は、Local Area Network（ＬＡＮ）やWide Area Network（ＷＡＮ）等の任意の通信ネットワークに接続され、通信に伴うデータ変換を行う。ネットワーク接続部８は、通信ネットワークを介して接続された装置へデータの送信または通信ネットワークを介して接続された装置からデータを受信する。
【００９４】
以上の実施の形態に関して、さらに以下の付記を開示する。
（付記１）
部屋の温度および湿度を調整する空調システムであって、
入力された冷却対象空気を冷却し、冷却された前記冷却対象空気を出力する間接気化冷却装置と、
前記間接気化冷却装置に外気を供給する第１の空気経路と、
前記間接気化冷却装置を通過せずに前記部屋に前記外気を供給する第２の空気経路と、
前記外気の温度及び前記外気の湿度に基づいて、前記間接気化冷却装置を停止して前記第１の空気経路から前記間接気化冷却装置への前記外気の供給を遮断するとともに、前記第２の空気経路を用いて前記部屋に前記外気を供給する制御装置と、
を備える空調システム。
（付記２）
前記制御装置は、前記外気の温度が第１の範囲内且つ前記外気の湿度が第２の範囲内である場合に、前記第２の空気経路を用いて、前記外気を前記部屋に供給することを特徴とする付記１記載の空調システム。
（付記３）
前記制御装置は、前記外気の温度が前記第１の範囲の下限値より低いまたは前記外気の湿度が前記第２の範囲の上限値より高い場合、前記部屋の排気を前記部屋に供給することを特徴とする付記１または２記載の空調システム。
（付記４）
前記間接気化冷却装置は、加湿対象空気が入力されるウエットチャネルと前記冷却対象空気が入力されるドライチャネルを有し、前記ウエットチャネル内の液体の気化現象により前記ドライチャネル内の前記冷却対象空気を冷却し、前記ドライチャネルの排気口から前記ドライチャネルを通過して冷却された前記冷却対象空気を出力し、前記ウエットチャネルの排気口から前記ウエットチャネルを通過して加湿された前記加湿対象空気を出力し、
前記制御装置は、前記外気の湿度が前記第２の範囲の下限値より低い場合、前記外気を前記加湿対象空気として前記ウエットチャネルに入力し、前記ウエットチャネルを通過して加湿された前記加湿対象空気を前記部屋に供給することを特徴とする付記１乃至３のいずれか１項に記載の空調システム。
（付記５）
前記制御装置は、前記外気の温度が前記第１の範囲の上限値より高く且つ前記外気の温度が前記部屋の排気の温度より高い場合、前記部屋の排気を前記冷却対象空気として前記ドライチャネルに入力し、前記ドライチャネルを通過して冷却された前記冷却対象空気を前記部屋に供給することを特徴とする付記４に記載の空調システム。
（付記６）
入力された冷却対象空気を冷却し、冷却された前記冷却対象空気を出力する間接気化冷却装置を有し、部屋の温度および湿度を調整する空調システムの制御装置であって、
前記空調システムは、
前記間接気化冷却装置に外気を供給する第１の空気経路と、
前記間接気化冷却装置を通過せずに前記部屋に前記外気を供給する第２の空気経路と、
を有し、
前記制御装置は、
前記外気の温度および前記外気の湿度を取得する取得部と、
前記外気の温度および前記外気の湿度に基づいて、前記間接気化冷却装置を停止して前記第１の空気経路から前記間接気化冷却装置への前記外気の供給を遮断するとともに、前記第２の空気経路を用いて、前記部屋に前記外気を供給する制御部と、を備えることを特徴とする制御装置。
（付記７）
前記制御部は、前記外気の温度が第１の範囲内且つ前記外気の湿度が第２の範囲内である場合に、前記第２の空気経路を用いて、前記外気を前記部屋に供給することを特徴とする付記６記載の制御装置。
（付記８）
前記制御装置は、前記外気の温度が前記第１の範囲の下限値より低いまたは前記外気の湿度が前記第２の範囲の上限値より高い場合、前記部屋の排気を前記部屋に供給することを特徴とする付記６または７記載の制御装置。
（付記９）
前記間接気化冷却装置は、加湿対象空気が入力されるウエットチャネルと前記冷却対象空気が入力されるドライチャネルを有し、前記ウエットチャネル内の液体の気化現象により前記ドライチャネル内の前記冷却対象空気を冷却し、前記ドライチャネルの排気口から前記ドライチャネルを通過して冷却された前記冷却対象空気を出力し、前記ウエットチャネルの排気口から前記ウエットチャネルを通過して加湿された前記加湿対象空気を出力し、
前記制御部は、前記外気の湿度が前記第２の範囲の下限値より低い場合、前記外気を前記加湿対象空気として前記ウエットチャネルに入力し、前記ウエットチャネルを通過して加湿された前記加湿対象空気を前記部屋に供給することを特徴とする付記６乃至８のいずれか１項に記載の制御装置。
（付記１０）
前記制御部は、前記外気の温度が前記第１の範囲の上限値より高く且つ前記外気の温度が前記部屋の排気の温度より高い場合、前記部屋の排気を前記冷却対象空気として前記ドライチャネルに入力し、前記ドライチャネルを通過して冷却された前記冷却対象空気を前記部屋に供給することを特徴とする付記１４記載の制御装置。
（付記１１）
入力された冷却対象空気を冷却し、冷却された前記冷却対象空気を出力する間接気化冷却装置と、制御装置と、を含み、部屋の温度および湿度を調整する空調システムの制御方法であって、
前記空調システムは、
前記間接気化冷却装置に外気を供給する第１の空気経路と、
前記間接気化冷却装置を通過せずに前記部屋に前記外気を供給する第２の空気経路と、
を有し、
前記制御装置は、
前記外気の温度および前記外気の湿度に基づいて、前記間接気化冷却装置を停止して前記第１の空気経路から前記間接気化冷却装置への前記外気の供給を遮断するとともに、前記第２の空気経路を用いて、前記部屋に前記外気を供給する
ことを特徴とする制御方法。
（付記１２）
前記制御装置は、前記外気の温度が第１の範囲内且つ前記外気の湿度が第２の範囲内である場合に、前記第２の空気経路を用いて、前記外気を前記部屋に供給することを特徴とする付記１１記載の制御方法。
（付記１３）
前記制御装置は、前記外気の温度が前記第１の範囲の下限値より低いまたは前記外気の湿度が前記第２の範囲の上限値より高い場合、前記部屋の排気を前記部屋に供給することを特徴とする付記１１または１２記載の制御方法。
（付記１４）
前記間接気化冷却装置は、加湿対象空気が入力されるウエットチャネルと前記冷却対象空気が入力されるドライチャネルを有し、前記ウエットチャネル内の液体の気化現象により前記ドライチャネル内の前記冷却対象空気を冷却し、前記ドライチャネルの排気口から前記ドライチャネルを通過して冷却された前記冷却対象空気を出力し、前記ウエットチャネルの排気口から前記ウエットチャネルを通過して加湿された前記加湿対象空気を出力し、
前記制御装置は、前記外気の湿度が前記第２の範囲の下限値より低い場合、前記外気を前記加湿対象空気として前記ウエットチャネルに入力し、前記ウエットチャネルを通過して加湿された前記加湿対象空気を前記部屋に供給することを特徴とする付記１１乃至１３のいずれか１項に記載の制御方法。
（付記１５）
前記制御装置は、前記外気の温度が前記第１の範囲の上限値より高く且つ前記外気の温度が前記部屋の排気の温度より高い場合、前記部屋の排気を前記冷却対象空気として前記ドライチャネルに入力し、前記ドライチャネルを通過して冷却された前記冷却対象空気を前記部屋に供給することを特徴とする付記１４記載の制御方法。
【符号の説明】
【００９５】
１０１    空調システム
１０４    外気吸気口
１０５    排気口
１０６    間接気化冷却装置
１１１〜１１６    ファン
１１７−ｉ    弁
１１８−ｉ    三方弁
１１９    制御装置
１２０−ｉ    温度センサ
１２１−ｊ    湿度センサ
１２２−ｉ    連結部
１２３−ｋ    ダクト
１５１    処理部
１５２    閾値取得部
１５３    演算部
１５４    比較部
１５５    設定部
１５６    出力部
１６１    記憶部
１６２    閾値情報
【図１】
2017083988.tif 000003
【図２】
2017083988.tif 000004
【図３】
2017083988.tif 000005
【図４】
2017083988.tif 000006
【図５】
2017083988.tif 000007
【図６】
2017083988.tif 000008
【図７】
2017083988.tif 000009
【図８】
2017083988.tif 000010
【図９】
2017083988.tif 000011
【図１０】
2017083988.tif 000012
【図１１】
2017083988.tif 000013